(57)【要約】【課題】頂部及び底部付近においても十分広い室内空間を確保することが可能なアーチ型テントを提供する。【解決手段】頂点部から四方に延びるポール１４が前記頂点部から離間するに従い下方に湾曲してなるドーム型のフレーム１２と、前記フレーム１２に張設されるシート１３とを備え、前記フレーム１２に沿って前記シート１３を張ることにより、前記シート１３内に室内空間が形成されるドーム型テント１１において、フレーム１２の頂点部にて、ポール１４の一端１４ａが十字状のジョイント１５に接続されて直交状態に連結されている。【選択図】図１
2008045313.tif 000002
【特許請求の範囲】
【請求項１】
頂点部から四方に延びるポールが前記頂点部から離間するに従い下方に湾曲してなるドーム型のフレームと、前記フレームに張設されるシートとを備え、前記フレームに沿って前記シートを張ることにより、前記シート内に室内空間が形成されるドーム型テントであって、
前記フレームは、前記頂点部において隣り合う前記ポールのなす角度を所定の角度に強制保持するジョイントを有するドーム型テント。
【請求項２】
請求項１に記載のドーム型テントであって、
前記ジョイントは、当該ジョイントを使用せずに複数の前記ポールを前記頂点部において交差させた場合に当該複数のポールがなす鋭角側の角度を広げて、より大きい角度に強制保持するドーム型テント。
【請求項３】
請求項１又は２に記載のドーム型テントであって、
前記ジョイントは、十字状をなすと共にその十字の各方向に接続部を有し、
前記ポールは、前記ジョイントの接続部にそれぞれ接続されているドーム型テント。
【請求項４】
前記ジョイントは、前記接続部に形成された嵌合孔を有し、該嵌合孔に前記ポールの一端が挿抜されているドーム型テント。
【請求項５】
請求項１から４のいずれか１項に記載のドーム型テントであって、
前記ポールの他端は、平面視にて長方形の角部に設置されているドーム型テント。
【発明の詳細な説明】
【技術分野】
【０００１】
本発明は、ドーム状に組み立てたフレームに沿ってシートを張る組立式のドーム型テントに関する。
【背景技術】
【０００２】
ドーム状に組み立てたフレームに沿ってシートを張る組立式のドーム型テントには、アーチ状に湾曲させたポールを頂部にて交差させることにより、室内空間を確保するものが知られている（例えば、特許文献１、２参照）。
【特許文献１】特開２０００−２３０３４８号公報
【特許文献２】特開平１１−６２３２２号公報
【発明の開示】
【発明が解決しようとする課題】
【０００３】
しかしながら、平面視長方形状のテント１にあっては、図５（ａ）に示すように、アーチ状のポール２を頂部にて交差させた場合、その交差部分が直交せず、このため、図５（ｂ）に示すように、複数のポール２からなるフレーム３に沿って張ったシート４内に形成される室内空間５における頂部付近が狭まってしまう。また、テント１の底部側におけるポール２の起立角度が小さくなるので、室内空間５における底部付近も狭まってしまう。
【０００４】
本発明は、上記事情に鑑みてなされたもので、頂部及び底部付近においても十分広い室内空間を確保することが可能なドーム型テントを提供することを目的とする。
【課題を解決するための手段】
【０００５】
上記目的を達成するために、本発明のドーム型テントは、頂点部から四方に延びるポールが前記頂点部から離間するに従い下方に湾曲してなるドーム型のフレームと、前記フレームに張設されるシートとを備え、前記フレームに沿って前記シートを張ることにより、前記シート内に室内空間が形成されるドーム型テントであって、前記フレームは、前記頂点部において隣り合う前記ポールのなす角度を所定の角度に強制保持するジョイントを有することを特徴とする。
【０００６】
この構成のドーム型テントによれば、その頂点部にてポールを室内空間が広がるような所定の角度に強制保持した状態で連結することが可能になるので、これらポールからなるフレームに沿って張られたシート内の室内空間を、その頂部及び底部付近においても広く確保することができる。
【０００７】
より具体的には、前記ジョイントは、当該ジョイントを使用せずに複数の前記ポールを前記頂点部において交差させた場合に当該複数のポールがなす鋭角側の角度を広げて、より大きい角度に強制保持するものであり、強制保持する角度としては、例えば、隣り合うポールが実質的に直交する角度に設定される。
【０００８】
また、前記ジョイントは、十字状をなすと共にその十字の各方向に接続部を有し、前記ポールは、前記ジョイントの接続部にそれぞれ接続されているものでも良い。
【０００９】
この構成によれば、十字状のジョイントの接続部に各ポールを接続することにより、容易にポールを直交状態に接続させることができる。
【００１０】
さらに、前記ジョイントは、前記接続部に形成された嵌合孔を有し、該嵌合孔に前記ポールの一端が挿抜されているものでも良い。
【００１１】
この構成によれば、ジョイントの接続部に形成された嵌合孔へポールの一端を差し込むことにより、各ポールを容易に接続することができ、また、これら嵌合孔からポールを引き抜くことにより、容易に分解することができ、設営、撤収の手間を低減させることができる。さらに、嵌合孔に差し込まれた複数のポールを、ジョイントを介して一纏めにすることができる。
【００１２】
なお、前記ジョイントは、前記接続部に形成されたパイプ状の突出部を有し、該突出部に前記ポールの一端が外挿あるいは内挿される構成でも良く、このような構成によっても、上述の接続部に形成された嵌合孔へポールの一端を差し込む構成と同様の作用効果を得ることができる。
【００１３】
また、前記ポールの他端は、平面視にて長方形の角部に設置されるものでも良い。
【００１４】
この構成によれば、平面視長方形の角部にポールの他端を設置しても、頂点部において強制保持された所定の角度状態が崩れて室内空間の頂部及び底部が狭まるような不具合を抑制することができる。
【発明の効果】
【００１５】
本発明のドーム型テントによれば、頂部及び底部付近においても十分広い室内空間を確保することができる。
【発明を実施するための最良の形態】
【００１６】
以下、本発明に係るドーム型テントの実施形態について図面を参照して説明する。図１は、本実施形態に係るドーム型テントの斜視図、図２は、ポールの連結箇所における斜視図、図３は、ポールを連結するジョイント部分における平面図及び側面図、図４は、ドーム型テントの概略平面図及び概略側断面図である。
【００１７】
図１に示すように、ドーム型テント１１は、ドーム型に形成された、例えば、ジュラルミン等からなるフレーム１２と、このフレーム１２に沿って張られた、例えば、ナイロン等の布地からなるシート１３とを有している。
【００１８】
フレーム１２は、その頂点部から四方に延び前記頂点部から離間するに従い下方に湾曲してなるポール１４と、これら四方に延びるポール１４のうち頂点部において互いに隣り合うポール１４のなす角度を所定の角度（本実施形態では、直交状態）に強制保持するジョイント１５とを有している。各ポール１４は、それぞれ複数本のパイプからなり、これらパイプをその内部に挿通された１本の弾性ヒモ（図示略）を伸長させながら連結させることにより、長尺のポール１４とされている。
【００１９】
この弾性ヒモは、その一端がポール１４の一端に、また、他端が当該ポール１４の他端に伸長した状態に固定されており、この伸長状態が元の状態に復元しようとする収縮作用により、各パイプ間の抜け防止がなされている。さらに、この弾性ヒモによって、ポール１４の折りたたみ時には、各パイプが１本１本ばらばらになることなく一纏めに収納可能となっている。
【００２０】
図２及び図３に示すように、ジョイント１５は、４つの接続部１６を有した平面視十字状に形成されたもので、それぞれの接続部１６には、ポール１４を構成している複数本のパイプのうち１本のパイプ一端１４ａ（以下、「ポール１４の一端１４ａ」という。）が挿抜可能な嵌合孔（図示略）が形成されている。
【００２１】
これにより、ポール１４の一端１４ａをジョイント１５の接続部１６に形成された嵌合孔へ差し込むことにより、それぞれのポール１４がジョイント１５に一纏めに接続される。
【００２２】
また、各ポール１４は、当該ポール１４を構成している複数本のパイプのうち、ジョイント１５から最も離れて位置するパイプの他端１４ｂ（以下、「ポール１４の他端１４ｂ」という。）が、図４に示すように、テント１１の底面を構成する平面視長方形状に形成された底面シート部１３ａの角部に設けられた固定片２１に接続されている。
【００２３】
これにより、各ポール１４は、図４（ａ）に示すように、平面視にて底面シート部１３ａの短辺側へ引き寄せられて湾曲されている。なお、各ポール１４は、十字状のジョイント１５に接続されて直交状態が維持される。
【００２４】
シート１３は、底面シート部１３ａの上面側に、ドーム状に広げられて内部に室内空間Ｓを形成する室内空間シート部１３ｂを有しており、この室内空間シート部１３ｂには、複数のループ部２２が、ポール１４に沿って間隔をあけて設けられている。そして、これらループ部２２に、ポール１４が挿通されている。この室内空間シート部１３ｂには、一側面側に、開閉可能な扉部２３が設けられており、この扉部２３にて室内空間Ｓに対する出入りが可能とされている。
【００２５】
上記ドーム型テント１１を組み立てるには、まず、各ポール１４を、シート１３の室内空間シート部１３ｂのループ部２２に挿通させる。次いで、これらポール１４の一端１４ａをジョイント１５の接続部１６に接続することにより、互いのポール１４同士を直交した状態に接続する。
【００２６】
次に、これらポール１４の他端１４ｂを、底面シート部１３ａの角部の固定片２１に接続する。このようにすると、ポール１４は、上方へアーチ状に湾曲されることにより、フレーム１２がドーム型に形成され、これにより、ループ部２２にポール１４が挿通されたシート１３の室内空間シート部１３ｂがフレーム１２のポール１４によって引き上げられてドーム状に張られ、内部に室内空間Ｓが形成される。
【００２７】
ここで、フレーム１２を構成するポール１４は、その他端１４ｂを底面シート部１３ａの各固定片２１に接続することにより、この底面シート部１３ａの短辺側へ引き寄せられて湾曲されるが、各ポール１４の一端１４ａは、十字状のジョイント１５に接続されて直交に強制接続された状態が維持される。つまり、フレーム１２は、その頂部にて、ポール１４が十字状に配置されて均等に外方へ膨出したアーチ状に維持される。
【００２８】
したがって、図４（ｂ）に示すように、これらポール１４からなるフレーム１２によって張られたシート１３は、その室内空間Ｓにおける頂部及び底部付近が狭まるようなことなく、大きな空間が確保される。なお、室内空間シート部１３ｂの外周には、ポリエステル等の布地からなる図示しないフライシートを被せても良い。
【００２９】
以上、説明したように、本実施形態に係るドーム型テントによれば、頂点部から四方に延びるポール１４が当該頂点部にて直交状態に連結されているので、これらポール１４を備えてなるフレーム１２に沿って張られたシート１３内の室内空間Ｓを、その頂部及び底部付近においても広く確保することができる。
【００３０】
特に、シート１３の底面シート部１３ａが平面視長方形とされ、ポール１４の他端１４ｂが底面シート部１３ａの角部に設置される場合においても、各ポール１４の一端１４ａが頂点部にて直交状態に連結されているので、頂点部における直交状態が崩れることによる室内空間Ｓの頂部及び底部が狭まるような不具合を抑制することができる。
【００３１】
しかも、ポールの一端１４ａを、４つの接続部１６が形成された十字状のジョイント１５の接続部１６にそれぞれ接続することにより、各ポール１４を容易に直交状態に接続させることができる。
【００３２】
また、この接続部１６に嵌合孔が形成されているので、これら嵌合孔にポール１４の一端１４ａを挿抜することにより、フレーム１２の組立分解を容易に行うことができ、設営、撤収の手間を低減させることができる。さらに、嵌合孔に差し込まれた複数のポール１４を、ジョイント１５を介して一纏めにすることができる。
【００３３】
なお、上記実施形態においては、１つのポール１４が複数本のパイプを連結してなる構成であったが、本発明はこのような構成に限らず、ポール１４が１本の中空パイプ又は中実棒（以下、パイプ等）からなるものであってもよい。
【００３４】
そして、このような１本のパイプ等から各ポール１４が構成されている場合においては、フレーム１２は、２本のポール１４の中央部同士をジョイント１５にて当該２本が互い直交するように連結させてなる構成であったり、４本のポール１４の一端をジョイント１５に集合させて当該４本が互いに直交するように連結させてなる構成であってもよい。
【００３５】
また、上記実施形態においては、ジョイント１５の嵌合孔にポール１４の一端が挿抜される構成について説明したが、ジョイント１５がその接続部１６にパイプ状の突出部を有し、該突出部にポール１４の一端が外挿あるいは内挿される構成でも良い。
【００３６】
さらに、上記実施形態においては、ジョイント１５として、フレーム１２の頂点部において隣り合う複数のポール１４が互いに直交するように強制保持する構成について説明したが、当該ジョイント１５を使用せずに複数のポール１４をフレーム１２の頂点部において交差させた場合にこれらポール１４がなす鋭角側の角度、言い換えれば、図４（ａ）の平面視にて、底面シート部１３ａの短辺側に対応する角度を広げて、より大きい角度に強制保持するものであれば、必ずしも直交に限定されるものではない。
【図面の簡単な説明】
【００３７】
【図１】本実施形態に係るドーム型テントの斜視図である。
【図２】ポールの連結箇所における斜視図である。
【図３】ポールを連結するジョイント部分の図であって、（ａ）は平面図、（ｂ）は側面図である。
【図４】本実施形態に係るドーム型テントの概略図であって、（ａ）は平面図、（ｂ）は側断面図である。
【図５】ドーム型テントの概略図であって、（ａ）は平面図、（ｂ）は側断面図である。
【符号の説明】
【００３８】
１１…ドーム型テント、１２…フレーム１２…シート、１４…ポール、１４ａ…一端、１４ｂ…他端、１５…ジョイント、１６…接続部、Ｓ…室内空間。
【図１】
2008045313.tif 000003
【図２】
2008045313.tif 000004
【図３】
2008045313.tif 000005
【図４】
2008045313.tif 000006
【図５】
2008045313.tif 000007